(57)【特許請求の範囲】
【請求項１】
吐水部における先端部の吐水口を上向きとなして該吐水口より上方に吐水可能となした吐水装置において、
前記上向き吐水状態における前記吐水部の先端部の下面且つ先端面を、先端側に進むにつれて水平方向に対し下方に下がる形状の面となし、該面の先端を、前記吐水口からの溢出水を下向きに落として該溢出水が前記吐水部の基端側に伝い流れるのを阻止する伝水阻止部となしたことを特徴とする上方吐水可能な吐水装置。
【請求項２】
請求項１において、前記下面且つ先端面が、前記吐水部における先端部の実質的に全幅に亘って前記下方に下がる形状の面となしてあることを特徴とする上方吐水可能な吐水装置。
【請求項３】
請求項１，２の何れかにおいて、前記吐水部における先端部の前面が前記上向き吐水状態において垂直方向に対して傾斜した面となしてあることを特徴とする上方吐水可能な吐水装置。
【請求項４】
請求項１〜３の何れかにおいて、前記下面且つ先端面と前記吐水部における前面との交叉部が半径５ｍｍ以下の湾曲面若しくは角面となしてあることを特徴とする上方吐水可能な吐水装置。
【発明の詳細な説明】
【０００１】
【発明の属する技術分野】
この発明は吐水部における先端部の吐水口を上向きとなして、その吐水口より上方に吐水可能な吐水装置に関し、詳しくは吐水口からの溢出水が吐水部の基端側に伝い流れるのを阻止する手段に特徴を有するものに関する。
【０００２】
【従来の技術及び発明が解決しようとする課題】
従来、吐水部における先端部の吐水口を上向きとなして、その吐水口より上方に吐水可能な吐水装置が公知である。
この吐水装置の場合、吐水口から上向きに吐水させることで水飲みを容易に行うことができる。
【０００３】
ところでこの吐水装置の場合、止水時に上向きの吐水口からの溢出水が吐水部を伝って基端側に流れ、吐水部の取付面を濡らすといった問題が生じていた。
この場合取付面が垂直な壁面であるとき、吐水部の基端側まで伝い流れた水はその壁面に沿って下向きに流れることができ、取付面が常時溢出水によって濡れた状態になってしまうといった問題は特に生じない。
【０００４】
しかしながら取付面が水平ないし水平に近い面である場合には、吐水部の基端側まで伝い流れた水がその取付面に溜まってしまい、或いは取付面を濡らした状態のままとなってしまう不都合を生ずる。
即ちこの種従来の上方吐水可能な吐水装置の場合、吐水部の取付面が限定されてしまうといった問題を内包していた。
【０００５】
図７はこの問題の理解を容易にするための比較例図であって、図中２００は吐水部であり、２０２は吐水部２００における吐水ヘッド２０２である。
吐水ヘッド２０２は吐水口２０４を有し、且つ吐水部本体２０６に対し同図（Ａ）に示す下向きと（Ｂ）に示す上向きとの間で上下に回転可能とされている。
この吐水部２００の場合、（Ａ）に示す状態で下向きに吐水を行うことができ、また（Ｂ）に示す状態で上向きに吐水を行うことができる。
【０００６】
この吐水装置の場合、吐水ヘッド２０２の前面２０８から図７（Ａ）中上面２１０（(Ｂ)の上向き吐水状態では下面となる）にかけての部分が、曲率の大きな湾曲面２１２とされていることから、（Ｂ）に示す上向き吐水状態で止水を行うと、吐水口２０４からの溢出水が、前面２０８及び湾曲面２１２を伝って吐水部本体２０６へと流れ、更にその吐水部本体２０６を伝い流れて吐水部２００の基端側に到り、而してその吐水部２００の取付面が水平ないし水平に近い面であるとその取付面に溜まってしまい或いは取付面に停滞してしまい、吐水装置の品位を損なうといった問題を生ずるのである。
【０００７】
【課題を解決するための手段】
本発明の上方吐水可能な吐水装置はこのような課題を解決するために案出されたものである。
而して請求項１のものは、吐水部における先端部の吐水口を上向きとなして該吐水口より上方に吐水可能となした吐水装置において、前記上向き吐水状態における前記吐水部の先端部の下面且つ先端面を、先端側に進むにつれて水平方向に対し下方に下がる形状の面となし、該面の先端を、前記吐水口からの溢出水を下向きに落として該溢出水が前記吐水部の基端側に伝い流れるのを阻止する伝水阻止部となしたことを特徴とする。
【０００８】
請求項２のものは、請求項１において、前記下面且つ先端面が、前記吐水部における先端部の実質的に全幅に亘って前記下方に下がる形状の面となしてあることを特徴とする。
【０００９】
請求項３のものは、請求項１，２の何れかにおいて、前記吐水部における先端部の前面が前記上向き吐水状態において垂直方向に対して傾斜した面となしてあることを特徴とする。
【００１０】
請求項４のものは、請求項１〜３の何れかにおいて、前記下面且つ先端面と前記吐水部における前面との交叉部が半径５ｍｍ以下の湾曲面若しくは角面となしてあることを特徴とする。
【００１１】
【作用及び発明の効果】
上記のように請求項１のものは、上向き吐水状態における吐水部の先端部の下面且つ先端面を、その接線が先端側に向って下向きの角度をなす面、即ち先端面を先端側に進むにつれて下方に下がった形状の面となし、これによりその面の先端を、溢出水が吐水部の基端側に伝い流れるのを阻止する伝水阻止部となしたもので、この請求項１の吐水装置にあっては、吐水口からの溢出水が吐水部の基端側まで伝い流れて、その取付面を濡らしてしまうといった問題を解消することができる。
従って本発明によれば、上方吐水可能な吐水装置において吐水部の取付面が限定される問題を解決でき、水平ないし水平に近い取付面に対しても吐水部を取り付けることができるようになる。
【００１２】
本発明においては、上記下面且つ先端面を吐水部における先端部の実質的に全幅に亘って下方に下がる形状の面となしておくことができる（請求項２）。
このようにすることで伝い水を伝水阻止部においてより良好に阻止することができる。
請求項１，２において、前記下面且つ先端面は、先端側に進むにつれ下方に下がる湾曲面となすこともできるし、傾斜面となすこともできる。
【００１３】
本発明においては、上向き吐水状態における吐水部の先端部の前面を垂直方向に対し傾斜した面となしておくことができる（請求項３）。
このようにしておくことで、その前面を伝い流れた伝い水を上記の伝水阻止部、即ち吐水部の下面の先端で効果的に伝水阻止することができる。
【００１４】
本発明においては、上記の下面且つ先端面と吐水部の前面との交叉部を半径５ｍｍ以下の曲率の小さな湾曲面若しくは角面となしておくことができ（請求項４）、これにより同部において伝い水を更に効果的に伝水阻止することができる。
【００１５】
【実施例】
次に本発明の実施例を図面に基づいて詳しく説明する。
図１において、１０は本例の上方吐水可能な吐水装置であって、１２は取付基体としてのカウンター１４から上方に突出する吐水部である。
吐水部１２は、カウンター１４の取付孔１６において水平ないしほぼ水平な取付面１８から起立する状態でカウンター１４に取付固定されている。
【００１６】
吐水部１２は、吐水部本体２０と先端側の吐水ヘッド２２とを有している。
吐水部本体２０はまた、湾曲形状のガイド管２４と、台座管２６とを有しており、その台座管２６が、取付孔１６を挿通する雄ねじ管２８に対しカウンター１４下側からねじ込まれた固定ナット３０とともに、三角パッキン３２を介してカウンター１４を上下両側から挟み付ける状態でカウンター１４に固定されている。
【００１７】
３４はガイド管２４と一体的に上下動するスライド管であって、その内部にホース３６が挿通されている。
ホース３６は吐水部本体２０、詳しくは台座管２６及びガイド管２４を挿通してその先端が上記の吐水ヘッド２２に接続されている。
尚、スライド管３４は上下動する際に雄ねじ管２８の内周面に対し摺動運動する。
【００１８】
吐水ヘッド２２は、吐水部本体２０に続くヘッド本体３８と、これよりも小径且つ円形の吐水口４０とを有しており、吐水部本体２０に対し上下に回転可能とされている。
【００１９】
ヘッド本体３８は、図２（Ｂ）に示しているように前面４２の横断面形状が半円形状をなしており、且つ前面４２全体が垂直方向に対し所定角度で傾斜した面とされている。
厳密には、図２（Ａ）に示す上向き吐水状態において前面４２が垂直方向に対し図中左向きに傾斜した面形状、即ち図２（Ａ）中下端から上方に進むにつれて吐水部１２の基端から離れる側に傾斜する形状の面とされている。
【００２０】
また一方、図２（Ａ）に示す上向き吐水状態においてその下面（図１に示す下向き吐水状態では上面となる）且つ先端面４４が次のような形状、即ち先端面４４の接線Ｐが先端側に向って水平方向に対し下向きの角度をなす面とされている。
つまり先端面４４が、先端側に進むにつれて水平方向に対し下方に下がる形状の面とされており、その下面且つ先端面４４の先端が、吐水口４０からの溢出水を下向きに落として、その溢出水が吐水部１２の基端側に伝い流れるのを阻止する伝水阻止部とされている。
尚、接線Ｐのなす角θは水平方向に対し０°以上の角度において適宜の角度を選択することが可能である。
【００２１】
本例においてはまた、前面４２と先端面４４との交叉部４６が半径５ｍｍ以下の湾曲面（又は角面）とされている。
尚、先端面４４は吐水ヘッド２２の実質的に全幅に亘って先端側に進むにつれ下方に下がる形状の面とされている。即ち伝水阻止部が吐水ヘッド２２の実質的に全幅に亘って形成されている。
【００２２】
本例の吐水装置１０では、上記のように吐水ヘッド２２が上下に回転可能とされており、そして図１に示す状態で吐水ヘッド２２から下向きに吐水することができ、また図２（Ａ）に示しているように吐水ヘッド２２を上向きに回転させ、吐水口４０を上方に位置させた状態で吐水操作を行うことにより、吐水口４０から上向きに吐水することができる。
この場合吐水が上向きに吐水されるため、水飲みを容易に行うことができる。
【００２３】
而して図２（Ａ）に示す上向き吐水状態で止水操作を行うと、吐水口４０からの上向き吐水が停止するが、このとき吐水口４０からの溢出水が下向きに流れ落ちる。
ここにおいて本例の吐水装置１０では、図２（Ａ）の上向き吐水状態における吐水ヘッド２２の下面且つ先端面４４が、水平方向に対し下向きに下がった形状の面とされていて、その面の先端が伝水阻止部として構成されているため、また吐水ヘッド２２の前面４２が垂直方向に対し傾斜した面とされているため、更にはまた前面４２と先端面４４との交叉部４６が半径５ｍｍ以下の曲率の小さな湾曲面ないし角面とされているため、吐水口４０からの溢出水が前面４２の下端まで流れたところで、そこから下方へと落とされ、前面４２を伝い流れた水が引き続いて吐水部１２の下面を基端側まで伝い流れて、水平ないしほぼ水平な取付面１８を濡らしてしまうといった不都合を生じない。
【００２４】
尚、先端面４４は本例では吐水ヘッド２２の実質的に全幅に亘って平坦面且つ先端側に進むにつれて水平方向に対し下方に下がる形状の傾斜面とされているが、場合によって先端側に進むにつれて下方に下がる湾曲面となしておくこともできる。
【００２５】
図３及び図４は、吐水ヘッド２２の前面４２に前方に突出する突起を設けて、その突起を伝水阻止部として構成した場合の例を示している。
このうち図３の例は、上記実施例における先端面４４をそのまま前方に延長して、前面４２の図３（Ｂ）中下端位置に突起４８を設けた場合の例である。
一方図４の例（参考例）は、上記下面且つ先端面４４を水平方向の面となし、そしてこれをそのまま水平方向前方に延長して前面４２の下端位置に突起５０を設けた場合の例である。
【００２６】
これらの場合においても、それら突起４８，５０から成る伝水阻止部の作用によって、吐水口４０からの溢出水をその伝水阻止部において下方に落下せしめ、溢出水が吐水部１２を基端側に伝い流れて取付面１８を濡らしてしまうといったことを効果的に防止できる。
【００２７】
図５は上向き吐水状態における吐水ヘッド２２の下面に下向きに突出する突起を設けて、その突起を伝水阻止部として構成した場合の例(参考例)を示している。
このうち（Ａ）の例は、吐水ヘッド２２の下面且つ先端位置において下向きの突起５２を設けた場合の例であり、更に（Ｂ）の例は吐水ヘッド２２の下面にドーム状の突起５４を設けた場合の例を、更に（Ｃ）の例は吐水ヘッド２２の後端、即ち吐水部本体２０に接する位置において下向きの突起５６を設けた場合の例である。
【００２８】
一方図６（Ｄ）は吐水部１２における先端部下面であって、吐水部本体２０、詳しくはガイド管２４の先端部近傍に下向きの突起５８を設けた場合の例(参考例)である。
これら何れの場合においても、それら突起５２，５４，５６，５８から成る伝水阻止部によって、吐水口４０からの溢出水が吐水部１２の基端側まで伝い流れて取付面１８を濡らしてしまう問題を解消することができる。
【００２９】
尚、図５（Ｃ）及び図６（Ｄ）の例は突起５６，５８を断面山形状となし、且つその先端を尖った形状となした例であり、また図５（Ｂ）の例は突起５４をドーム状の突起となした場合の例を示している。
更に図５（Ａ）の例は突起５２を板状の突起となした場合の例を示している。
【００３０】
図６（Ｅ）の例(参考例)は、吐水ヘッド２２におけるヘッド本体３８の先端面、即ち上向き吐水状態において吐水口４０の直下の位置に円盤状の突起６０を横方向に突出する状態で設け、これを伝水阻止部として構成した場合の例で、この例においても上向き吐水状態において、止水時に吐水口４０からの溢出水が吐水部１２を基端側に伝い流れるのを阻止することができ、以って取付面１８がその伝い流れた水によって濡れてしまうといった問題を解決することができる。
【００３１】
以上本発明の実施例を詳述したがこれはあくまで一例示である。
例えば上記各実施例，参考例を適宜組み合せて吐水装置を構成することも可能であるし、更には伝水阻止部を上例以外の他の様々な形態で構成することも可能である。
更にまた本発明は上例の吐水装置１０以外の形態の吐水装置に適用することも可能であるなど、本発明はその主旨を逸脱しない範囲において種々変更を加えた形態で構成可能である。
【図面の簡単な説明】
【図１】  本発明の一実施例である吐水装置を示す図である。
【図２】  同じ実施例における吐水部の先端部を拡大して示す図である。
【図３】  本発明の他の実施例の要部を示す図である。
【図４】  本発明の参考例の要部を示す図である。
【図５】  本発明の更に他の各参考例の要部を示す図である。
【図６】  本発明の更に他の各参考例の要部を示す図である。
【図７】  本発明の解決課題を説明するために示した比較例図である。
【符号の説明】
１０  吐水装置
１２  吐水部
２２  吐水ヘッド
４０  吐水口
４２  前面
４４  先端面
４６  交叉部
４８，５０，５２，５４，５６，５８，６０，  突起（伝水阻止部）
Ｐ   接線
【図１】
0003697142.tif 000002
【図２】
0003697142.tif 000003
【図３】
0003697142.tif 000004
【図４】
0003697142.tif 000005
【図５】
0003697142.tif 000006
【図６】
0003697142.tif 000007
【図７】
0003697142.tif 000008